(57)【特許請求の範囲】
【請求項１】
魚釣りに用いる釣竿であって、
内部に中空部を有する竿体と、
前記中空部の内部に移動可能に配置された錘と、
前記中空部の竿元に形成され前記錘の竿元側への脱落を防ぐ第１抑止手段と、
前記中空部の穂先側に設けられ前記錘の穂先側への脱落を防ぐ前記中空部内を軸方向に移動可能に設けられた第２抑止手段と、を備えた釣竿。
【請求項２】
前記第２抑止手段は栓状弾性部材である、請求項１に記載の釣竿。
【請求項３】
前記釣竿が中通し竿であり、
前記竿体の中間部に釣糸を前記中空部に導入するための釣糸導入孔とをさらに備え、
前記第２抑止手段は前記釣糸導入孔より竿元側で前記中空部内を軸方向に移動可能に設けられている、請求項１又は２に記載の釣竿。
【発明の詳細な説明】
【０００１】
【発明の属する技術分野】
本発明は、魚釣りに用いる釣竿に関する。
【０００２】
【従来の技術】
従来の釣竿は、竿体と、竿体の竿元側端部に配置された竿元グリップと、竿元グリップの穂先側に配置された前グリップと、竿元グリップと前グリップとの間に設けられリールを装着可能なリールシートとを有している。
このような従来の釣竿では、リールからの釣糸を竿体に設けられたガイドリングに挿通し穂先側へ導く。そして、竿元グリップと前グリップとを把持して釣竿を振りかぶり狙ったポイントに仕掛けをキャスティングする（投げ入れる）。キャスティング後は、釣竿の穂先側を下に向けた状態でリールを巻き取りながら仕掛けをリトリーブする。
【０００３】
【発明が解決しようとする課題】
この従来の釣竿において、穂先側から飛び出してゆく釣糸及び仕掛けをより遠方に投げ込むには、釣竿の重心を穂先側に位置させるのが好ましい。しかし、単に穂先側を重くしたのみでは釣竿全体のバランスが崩れてしまい、また、釣竿を振りかぶる際に安定性に欠けることになる。
【０００４】
本発明の課題は、全体の軽量化及びバランスを保ちつつ重心が移動可能な釣竿を提供する。
【０００５】
【課題を解決するための手段】
発明１に係る釣竿は、魚釣りに用いる釣竿であって、内部に中空部を有する竿体と、中空部の内部に移動可能に配置された錘と、中空部の竿元に形成され錘の竿元側への脱落を防ぐ第１抑止手段と、中空部の穂先側に設けられ錘の穂先側への脱落を防ぐ中空部内を軸方向に移動可能に設けられた第２抑止手段と、を備えている。この場合には、釣竿を振回すると、錘が重力及び遠心力によって竿体内に設けられた中空部内を移動する。ここで抑止手段は錘が抑止手段より穂先側に移動するのを抑止する。キャスティング時に釣竿を振りかぶると、錘は中空部内を竿元側に移動して釣竿全体の重心が竿元側に移動する。そして、釣竿を前方に振り下ろすと共に、遠心力によって錘が穂先側へ向かって抑止手段まで移動する。この結果、キャスティングが円滑になると共に、狙ったポイントに仕掛けを投げ入れやすくなる。なお、キャスティング後にリールを巻き取りながら仕掛けをリトリーブする場合も、穂先側に重心が移動しているので釣竿の穂先側を下に向けた状態で容易に維持可能になりリトリーブが容易になる。
さらに、中空部の穂先側に設けられている第２抑止手段は中空部内を軸方向に移動可能になっているので、ユーザの背の高さや力等に応じて任意の位置に抑止手段を配置できる。この結果、ユーザ毎に錘の移動範囲を設定でき、よりキャスティングが円滑になる。
【０００６】
発明２に係る釣竿は、発明１に記載の釣竿であって、第２抑止手段は栓状弾性部材である
【０００７】
発明３に係る釣竿は、発明１又は発明２の釣竿であって、釣竿が中通し竿であり、竿体の中間部に釣糸を前記中空部に導入するための釣糸導入孔とをさらに備え、第２抑止手段は前記釣糸導入孔より竿元側で前記中空部内を軸方向に移動可能に設けられている。この場合には、抑止手段が錘の中空部内での移動を釣糸導入孔の竿元側付近と竿元側端部との間に制限する。この結果、錘は、釣竿を前方に振り下ろした状態でも釣糸導入孔の竿元側付近にまでしか移動せず、過度に穂先方向に重心が移動してしまうのを防止し、より円滑なキャスティングか可能になる。さらに、釣糸導入孔から竿体の中空部内に入ってしまったゴミや水等が竿元側に入り込んでしまうのを防止できる。
【００１０】
【発明の実施の形態】
［第１実施形態］
以下、本発明の第１実施形態について図面を参照しつつ説明する。
本発明の第１実施形態を採用した釣竿は、元竿１と、元竿１の穂先側に並継ぎ形式に連結された複数の竿体からなる中竿２と、中竿２の穂先側に連結された穂先竿３とを有している。この元竿１〜穂先竿３は、炭素繊維によって強化された炭素繊維強化樹脂からなるプリプレグをマンドレルに巻回して得た先細りテーパー状の筒状部材である。
【００１１】
また、元竿１は、内部に中空部１００（図２参照）を有する筒状部材である。そして、竿尻側端部に取り外し可能にはめ込まれた尻栓部５と、竿元側に形成されたグリップ６と、グリップ６穂先側の外周面に設けられリール７が装着されるリールシート８とを有している。そして、リール７から導かれた釣糸Ｌは、中竿２及び穂先竿３に設けられた複数のガイドリング９に導かれて穂先側のトップガイド１０へ導かれている。
【００１２】
図２に示すように、尻栓部５は、元竿１の竿元側端部にはめ込まれている合成樹脂製の部材である。元竿１の竿元側端部の内周面には雌ネジ部が形成されており、尻栓部５はこの雌ネジ部に螺合可能なようにネジ山が形成されている。グリップ６は、ウレタンゴムやスチレン−ブタジエンゴム等の弾性を有する合成樹脂からなる筒状部材であって、元竿１の外周面を覆うように竿元側端部に配置され、接着剤等で固定されている。リールシート８は、元竿１の所定の位置にモールド成型等によって一体成型された合成樹脂製部材である。リールシート８の所定の位置にリール７の脚部を載置して取り外し自在に固定可能になっている。
【００１３】
また、元竿１の中空部１００のリールシート８の穂先側には、中空部１００の軸方向の連結を塞ぐように栓部材１０が配置されている。この栓部材１０はウレタンゴム，ブタジエンゴム，シリコンゴム等の弾性を有する合成樹脂製の部材であって、中空部１００の最大周径である竿元側端部の周径とほぼ同じ径を有するように形成されている。また、栓部材１０の竿元側の中空部１００には、例えば、鉛等からなる金属製球状部材である、錘１１が移動自在に配置されている。
【００１４】
このように構成された釣竿では、元竿１，中竿２，穂先竿３を順次並継ぎ形式で連結して一本の釣竿として釣りを行う。この釣竿を振回すると、錘１１が重力及び遠心力によって元竿１内に設けられた中空部１００を移動する。ここで、栓部材１０は錘１１が栓部材１０より穂先側に移動するのを抑止している。キャスティング時に釣竿を振りかぶると、錘１１は中空部１００内を竿元側に移動して釣竿全体の重心が竿元側に移動する。そして、釣竿を前方に振り下ろすと共に、遠心力によって錘１１が穂先側へ向かって移動し栓部材１０まで移動する。この結果、キャスティングが円滑になると共に、狙ったポイントに仕掛けを投げ入れやすくなる。また、過度に穂先側に重心が過度に移動することもない。なお、キャスティング後にリール７を巻き取りながら仕掛けをリトリーブする場合も、穂先側に重心が移動しているので釣竿の穂先側を下に向けた状態で容易に維持可能になりリトリーブが容易になる。
【００１５】
なお、必要に応じて、図３に示すように、尻栓部５をはずして錘１１を取り出した後、棒部材Ａを元竿１の穂先側または竿元側から挿入して栓部材１０を移動させる。栓部材１０は弾性部材であり、その弾性力によって元竿１の中空部１００の任意の位置に固定可能である。このように錘１１の移動範囲を自由に設定できるので、ユーザ毎に最も適した位置まで重心を移動させることができ、キャスティングが円滑になる。
【００１６】
［第２実施形態］
以下、本発明の第２実施形態について、図面を参照しつつ説明する。
図４に示すように、本発明の第２実施形態を採用した中通し竿は、複数の竿体からなり小径に形成された穂先側の竿体から順次竿元側の竿体へ収納可能な内部竿体４１と、内部竿体４１が挿入され収納可能なように内部竿体４１の竿元側に連結された外部竿体４２とを有している。外部竿体４２及び内部竿体４１は、それぞれ炭素繊維強化樹脂製のプリプレグをマンドレルに巻回し焼成して得られた先細り筒状部材であり、内部にそれぞれ中空部２００（図５を参照）を有している。
【００１７】
また中通し竿は、内部竿体４１の穂先側先端に配置されたトップガイド４３と、外部竿体４２の竿元側端部に配置された竿元グリップ４５と、竿元グリップ４５の穂先側に配置された前グリップ４６と、竿元グリップ４５と前グリップ４６との間に設けられリール４７を装着するリールシート４８とを有している。さらに、図５に示すように、外部竿体４２の前グリップ４６の穂先側外周面には、釣糸Ｌを中空部２００に導入するための釣糸導入孔５０と、釣糸導入孔５０を覆うように外部竿体４２の前グリップ４６の穂先側外周面に設けられた釣糸案内部材５１とを有している。そして、リール４７からの釣糸Ｌは、釣糸案内部材５１と釣糸導入孔５０とを通って中空部２００へ挿通され、トップガイド４から外部へ導かれている。
【００１８】
また、元竿１の中空部２００の釣糸導入孔５０の竿元側には、中空部２００の軸方向の連結を塞ぐように前栓部材６０が配置されており、中空部２００の竿元グリップ４５の穂先側端部には、中空部２００の軸方向の連結を塞ぐように後栓部材６１が配置されている。この前栓部材６０及び後栓部材６１はコルク製または合成樹脂製の部材であって、接着剤等によって中空部２００の所定の位置にそれぞれ固定されている。また、前栓部材６０と後栓部材６１との間の中空部２００には、例えば、鉛等からなる金属製球状部材である、錘６２が移動自在に配置されている。
【００１９】
このように構成された中通し竿では、この中通し竿を振回すると、錘６２が重力及び遠心力によって中空部２００の竿元側の前栓部材６０と後栓部材６１との間を移動する。キャスティング時に釣竿を振りかぶると、錘６２は中空部２００を後栓部材６１まで移動して釣竿全体の重心が竿元側に移動する。そして、釣竿を前方に振り下ろすと共に、遠心力によって錘６２が穂先側へ向かって移動し前栓部材６０まで移動する。この結果、キャスティングが円滑になると共に、狙ったポイントに仕掛けを投げ入れやすくなる。また、過度に穂先側に重心が過度に移動することもない。さらに、前栓部材６０が釣糸導入孔５０から進入したゴミや水等が中空部２００の竿元側に入り込むのも防止する。
【００２０】
［第３実施形態］
以下、本発明の第３実施形態について図面を参照しつつ説明する。
図６に示すように、本発明の第３実施形態を採用した釣竿は、竿体７０と、竿体７０の周面に設けられた複数のラインガイド７１と、竿体７０の穂先側先端に設けられたトップガイド７２と、竿体７０の竿尻側端部に設けられたグリップ７３と、グリップ７３よりやや穂先側の外周面に設けられリール７４が装着されるリールシート７５とを有している。そして、リール７４からの釣糸Ｌは、ラインガイド７１を順に介してトップガイド７２へ導かれている。
【００２１】
この竿体７０は、炭素繊維等の強化繊維に樹脂を含浸させたシート状のプリプレグをマンドレルに巻回して成型されたものであり、先端が細いテーパ状であって筒状のものである。また、グリップ７３は、竿体７０の竿尻にはめ込まれ、接着剤で接着された蓋付き円筒型部材であり、例えば、ウレタンゴム等のゴム系弾性体やアクティマー（商標）等のスチレンブロック共重合体系熱可塑性樹脂製の部材である。
【００２２】
竿体７０の内部には、図７に示すように、竿元側端部からリールシート７５の穂先側にかけてパイプ部材７６が挿通されている。パイプ部材７６は、例えば、ポリプロピレン，ポリ塩化ビニル，フェノール樹脂，ナイロン樹脂等からなるパイプ状部材であり、竿体７０の湾曲と共に湾曲可能になっている。そして、竿体７０の成型後に竿体７０の内部に挿通される。また、パイプ部材７６内の一部には、水７７（重心移動媒体）が注入されており、パイプ部材７６は内部の水７７は漏れ出ないように密封されている。
【００２３】
このように構成された釣竿では、キャスティング時に釣竿を振りかぶると、水７７は竿元側に移動して釣竿全体の重心が竿元側に移動する。そして、釣竿を前方に振り下ろすと共に、遠心力によって水７７が穂先側へ向かって移動する。この結果、キャスティングが円滑になると共に、ねらったポイントに仕掛けを投げ入れやすくなる。
【００２４】
［他の実施形態］
（ａ）釣竿の重心を移動させるために竿体内に配置するものとしては、砂，食塩水等の適当な水溶液，ゲル等を例示することができる。
（ｂ）第３実施形態において、パイプ部材７６を竿体７０の全体に配置してもよい。
（ｃ）栓部材を竿体の中空部内に配置する代わりに、竿体の中空部に突起部を設けて錘の移動を抑止してもよい。例えば、図８に示すように、内部に中空部３００を有する竿体８０において、竿体８０と一体形成された突起部８１を形成し、錘９０の移動を抑止する
【００２５】
【発明の効果】
本発明に係る釣竿によれば、竿体内部に錘が配置されており所定の範囲内を移動可能になっているので、全体の軽量化及びバランスを保ちつつ重心を移動させることができる。
【図面の簡単な説明】
【図１】本発明の第１実施形態を採用した釣竿の全体図。
【図２】  図１の元竿１の拡大断面図。
【図３】栓部材１０を移動させる場合を示した元竿１の拡大断面図。
【図４】本発明の第２実施形態を採用した釣竿の全体図。
【図５】図４の外部竿体３２の拡大断面図。
【図６】本発明の第３実施形態を採用した釣竿の全体図。
【図７】図６の竿体７０の拡大断面図。
【図８】本発明の他の実施形態を採用した竿体の断面図。
【符号の説明】
１  元竿
２  中竿
３  穂先竿
５  尻栓部
１０  栓部材
１１，６２  錘
４１  内部竿体
４２  外部竿体
６０  前栓部材
６１  後栓部材
７０  竿体
７６  パイプ部材
７７  水
１００，２００  中空部
Ｌ  釣糸
【図１】
0004023642.tif 000002
【図２】
0004023642.tif 000003
【図３】
0004023642.tif 000004
【図４】
0004023642.tif 000005
【図５】
0004023642.tif 000006
【図６】
0004023642.tif 000007
【図７】
0004023642.tif 000008
【図８】
0004023642.tif 000009